(57)【要約】【課題】画面性能において、種々のミスコンバーゼンスと不均一な歪が混在し、コイルのみによる調整方法だけでは最適解を得られず、画像品位を著しく悪化させている。またコイル分布を管軸方向でカットアンドトライ的に調整する為、その検討にかなりの時間を費やしている。そこで偏向ヨークの主要部品であるコアを調整ツールに加え、高品位な画像性能が得られる偏向ヨークを提供することを目的する。【解決手段】コア４の小径側の対称の水平面の凹状の切欠き部５を含む部分の磁気抵抗が、対称の垂直面の磁気抵抗よりも大きくした。またコア４の小径側の、対称の垂直面の凹状の切欠き部５を含む部分の磁気抵抗が、対称の水平面の磁気抵抗よりも大きい抵抗を有する構成とした。【選択図】　図２
2004022262.tif 000002
【特許請求の範囲】
【請求項１】
インライン型電子銃の配列方向に偏向を行う一対の水平偏向コイルと、配列方向に垂直な方向に偏向を行う一対の垂直偏向コイルと、少なくとも前記偏向コイルの付近に、前記水平偏向コイル若しくは垂直偏向コイルの少なくとも１つの磁束経路に配置された磁性材料で作られたコアとを有し、前記コアは大径側と小径側を有しており、その小径側の対称の水平面の凹状の切欠き部を含む部分の磁気抵抗が、対称の垂直面の磁気抵抗よりも大きいことを特徴とする偏向ヨーク。
【請求項２】
前記コアの小径側の対称の垂直面の凹状の切欠き部を含む部分の磁気抵抗が、対称の水平面の磁気抵抗よりも大きいことを特徴とする請求項１記載の偏向ヨーク。
【請求項３】
対称の垂直面に関して対称な凹部の対は、対称の水平面との交差部の前記コアの小径側に形成されたことを特徴とする請求項１記載の偏向ヨーク。
【請求項４】
対称の水平面に関して対称な凹部の対は、対称の垂直面との交差部の前記コアの小径側に形成されたことを特徴とする請求項１記載の偏向ヨーク。
【発明の詳細な説明】
【０００１】
【発明の属する技術分野】
本発明は、インライン配置の３本の電子銃から発射される電子ビームの動集中が、各々一対の水平、垂直偏向コイルによる偏向磁界で自動的に行われるセルフコンバーゼンス方式カラー受像管に装着し使用される偏向ヨークに関するものである。
【０００２】
【従来の技術】
偏向ヨークは、適切な領域の偏向フィールドを集中させる為、鞍型状の１対の垂直偏向コイル、１対の水平偏向コイル及び、偏向コイルを囲む環状の強磁性体を有する。カラー画像を生成する為の電子線管は、同一平面状の３つの電子ビームを発する電子銃を有し、各々のビームは管のスクリーン上の確定された原色（赤、緑、青）の蛍光体を励起する。
【０００３】
電子ビームは、管の頚部に固定された偏向ヨークの水平及び垂直偏向コイルにより発せられた偏向フィールドの影響の下に、管のスクリーンを走査する。電子銃で発生された３つのビームは、常に管のスクリーン上で一点に集まらなければならない。そうでない場合、ミスコンバーゼンスが起こり、特に色の表現を誤らせる。３つの電子ビームを収束させるために、いわゆる自己収束非点収差偏向フィールドを用いることが知られている（以下セルフコンバーゼンス方式と称す）。このセルフコンバーゼンス方式の偏向ヨークにおいて、最近の画面のフラット化に伴い、画像特性であるコンバーゼンス、歪の両立調整が困難な状況となってきている。
【０００４】
従来、このコンバーゼンスと歪の調整は、主に水平、及び垂直偏向コイルの管軸方向の磁界分布を操作して行っている。図５は、従来の画面左右周辺のミスコンバーゼンスを示す図である。コンバーゼンスの場合、図５に示すように画面左右周辺のＲ縦線がＢ縦線より左側にずれ（以下ＸＨバレルと称す）、またＧ縦線がＲ、Ｂより内側に位置する（以下ＨＣＲナローと称す）ようなミスコンバーゼンスの場合、水平偏向コイルの管軸方向、電子銃側をバレル磁界に、またスクリーン側をピン磁界に操作し、調整する。図５と逆のパターンのミスコンバーゼンスの場合はその磁界操作は前記の逆を行う。
【０００５】
また図６は、従来の画面上下周辺のミスコンバーゼンスを示す図である。図６に示すように、画面上下周辺のＲ縦線がＢ縦線より右側にずれ（以下ＹＨバレルと称す）、またＧ横線がＲ、Ｂより外側に位置する（以下ＶＣＲワイドと称す）ようなミスコンバーゼンスの場合、垂直偏向コイルの管軸方向、電子銃側をバレル磁界に、またスクリーン側をピン磁界に操作し、調整する。図６と逆のパターンのミスコンバーゼンスの場合はその磁界操作は前記の逆を行う。
【０００６】
歪の調整は、上記コンバーゼンスの調整と連動しており、図５のミスコンバーゼンスを調整した場合、上下歪はバレル歪の方向へ変化し、また図６のミスコンバーゼンスを調整した場合、上下歪はピン歪の方向へ変化する。このように、ミスコンバーゼンスと歪を水平、垂直偏向コイルの磁界分布を調整することで、双方の最適値を導き出している。
【０００７】
【発明が解決しようとする課題】
しかしながら、実際の画面においては、種々のミスコンバーゼンスと不均一な歪が混在し、上記のような調整方法だけでは最適解を得られず、画像品位を著しく悪化させている。またコイル分布を管軸方向でカットアンドトライ的に調整する為、その検討にかなりの時間を費やしている。
【０００８】
そこで本発明は、偏向ヨークの主要部品であるコアを調整ツールに加え、高品位な画像性能が得られる偏向ヨークを提供することを目的とする。
【０００９】
【課題を解決するための手段】
本発明は、インライン型電子銃の配列方向に偏向を行う一対の水平偏向コイルと、配列方向に垂直な方向に偏向を行う一対の垂直偏向コイルと、少なくとも前記偏向コイルの付近に、前記水平偏向コイル若しくは垂直偏向コイルの少なくとも１つの磁束経路に配置された磁性材料で作られたコアとを有し、前記コアは大径側と小径側を有しており、その小径側の対称の水平面の凹状の切欠き部を含む部分の磁気抵抗が、対称の垂直面の磁気抵抗よりも大きい構成とした。
【００１０】
本発明によれば、偏向ヨークの主要部品であるコアを調整ツールに加え、高品位な画像性能が得られる偏向ヨークを提供できる。
【００１１】
【発明の実施の形態】
請求項１の発明は、インライン型電子銃の配列方向に偏向を行う一対の水平偏向コイルと、配列方向に垂直な方向に偏向を行う一対の垂直偏向コイルと、少なくとも偏向コイルの付近に、水平偏向コイル若しくは垂直偏向コイルの少なくとも１つの磁束経路に配置された磁性材料で作られたコアとを有し、コアは大径側と小径側を有しており、その小径側の対称の水平面の凹状の切欠き部を含む部分の磁気抵抗が、対称の垂直面の磁気抵抗よりも大きい。
【００１２】
請求項２の発明は、コアの小径側の対称の垂直面の凹状の切欠き部を含む部分の磁気抵抗が、対称の水平面の磁気抵抗よりも大きい。
【００１３】
請求項３の発明は、対称の垂直面に関して対称な凹部の対は、対称の水平面との交差部のコアの小径側に形成した。
【００１４】
請求項４の発明は、対称の水平面に関して対称な凹部の対は、対称の垂直面との交差部のコアの小径側に形成した。
【００１５】
このような構成により、コンバーゼンス、歪の調整工数が削減でき、高品位な画像性能を得られる偏向ヨークを実現できる。またＸＨ、ＨＣＲ等の調整は垂直面の凹状切欠き部で、またＹＨ、ＶＣＲ等の調整は水平面の凹状切欠き部で操作することができ、また歪は各々の操作と従来のコイルでの調整を併用できることから、偏向ヨークによる画像品質を著しく向上させることができる。
【００１６】
（実施の形態１）
図１は本発明の実施の形態１における偏向ヨークのＸ方向より見た側面図、図２は本発明の実施の形態１における偏向ヨークに備えられたコアのＸ方向より見た側面図である。
【００１７】
図１において、一対の水平偏向コイル１が組み込まれたセパレータ２の外側に、一対の垂直偏向コイル３が組み込まれ、その外側にコア４が取り付けられている。水平偏向コイル１はインライン型電子銃の配列方向に偏向を行うものであり、垂直偏向コイル３は配列方向に垂直な方向に偏向を行うものである。コア４は、図２に示すように大径側と小径側を有しており、小径側に凹状の切欠き部５を有する。この切欠き部５は、コア小径側のＸＺ面との交差部に形成され、Ｚ軸に平行に２箇所設けられている。コア４は磁性材料で作られており、水平偏向コイル１や垂直偏向コイル３の少なくとも１つの磁束回路に配置される。このような構成により、コア４の小径側の対称な水平面ＸＺの交差部付近の磁気抵抗は、対称な垂直面ＹＺの交差部付近の磁気抵抗よりも大きくなる。
【００１８】
切欠き部５の磁気抵抗の大きさは、切欠き面積を可変することにより調整することができる。即ち、図２において、Ｚ方向寸法６、またはＹ方向寸法７を可変することにより、調整が可能である。
【００１９】
図２において、コア４の切欠き部５のＺ方向寸法６は１５ｍｍ、Ｙ方向寸法７は３０ｍｍに設定してある。このような状態において、コア４の切欠き部５がない従来の偏向ヨークを初期状態とした時との、各画面性能パラメータの変化量を（表１）に示す。
【００２０】
【表１】
2004022262.tif 000003
【００２１】
このように、コア小径側のＸＺ面に、凹状の切欠き部５を設けることにより性能パラメータを変化させることができる。このＸＺ面の切欠き部５は、性能パラメータのなかで、特にＶＣＲをプラス方向に、またＴＲＩをマイナス方向に、またＮ／Ｓ歪をプラス方向に調整できるという特徴を備えている。
【００２２】
（実施の形態２）
図３は本発明の実施の形態２における偏向ヨークのＹ方向より見た上面図、図４は本発明の実施の形態２における偏向ヨークに備えられたコアのＹ方向より見た上面図である。図３において、水平偏向コイル１が組み込まれたセパレータ２の外側に垂直偏向コイル３が組み込まれ、その外側にコア８が取り付けられている。
【００２３】
コア８は、図４に示すように小径側に凹状の切欠き部９を有する。この切欠き部９は、コア小径側のＹＺ面との交差部に形成され、Ｚ軸に平行に２箇所設けられている。このような構成により、コア８の小径側の対称な垂直面ＹＺの交差部付近の磁気抵抗は、対称な水平面ＸＺの交差部付近の磁気抵抗よりも大きくなる。
【００２４】
切欠き部９の磁気抵抗の大きさは、切欠き面積を可変することにより調整することができる。即ち、図４において、Ｚ方向寸法１０、またはＸ方向寸法１１を可変することにより、調整が可能である。図４の偏向ヨークにおいては、コア８の切削部のＺ方向寸法１０は１５ｍｍ、Ｘ方向寸法１１は３０ｍｍに設定してある。このような状態において、前記コアの切欠き部がない従来の偏向ヨークを初期状態とした時との、各画面性能パラメータの変化量を（表２）に示す。
【００２５】
【表２】
2004022262.tif 000004
【００２６】
このように、コア小径側のＹＺ面に、凹状の切欠き部９を設けることにより性能パラメータを変化させることができる。このＹＺ面の切欠き部９は、性能パラメータのなかで、特にＨＣＲをマイナス方向に、またＴＲＩをプラス方向に、またＮ／Ｓ歪をマイナス方向に調整できるという特徴を備えている。
【００２７】
前述した方法を複合させ、切欠き部をＸＺ面、ＹＺ面に計４箇所設置することにより、性能調整を行うことも可能である。その場合、各々の切欠き面積を適度に調整し、最適な画面性能を得ることができる。
【００２８】
【発明の効果】
以上説明したように本発明によれば、コア小径側に磁気抵抗を大きくする切欠き部を、性能に応じてＸＺ面、またはＹＺ面、またはＸＺ面、ＹＺ面両方に設けることにより、コンバーゼンスと歪を調整することができ、大幅な画像品位の向上を図ることができる。
【図面の簡単な説明】
【図１】本発明の実施の形態１における偏向ヨークのＸ方向より見た側面図
【図２】本発明の実施の形態１における偏向ヨークに備えられたコアのＸ方向より見た側面図
【図３】本発明の実施の形態２における偏向ヨークのＹ方向より見た上面図
【図４】本発明の実施の形態２における偏向ヨークに備えられたコアのＹ方向より見た上面図
【図５】従来の画面左右周辺のミスコンバーゼンスを示す図
【図６】従来の画面上下周辺のミスコンバーゼンスを示す図
【符号の説明】
１　水平偏向コイル
２　セパレータ
３　垂直偏向コイル
４　コア
５　切欠き部
８　コア
９　切欠き部
【図１】
2004022262.tif 000005
【図２】
2004022262.tif 000006
【図３】
2004022262.tif 000007
【図４】
2004022262.tif 000008
【図５】
2004022262.tif 000009
【図６】
2004022262.tif 000010